(57)【要約】【課題】各種電子機器に使用されるプッシュスイッチのスイッチ接触子に関するものであり、小型で操作移動量が大きく、操作フィーリングの良いスイッチ接触子と、これを使用したプッシュスイッチを提供することを目的とする。【解決手段】弾性に富んだ薄板金属板で、円錐形にスイッチ接触子を形成し、その中央頂点部をくり貫き、そのくり貫いた孔状の場所に外周から中心に向けて舌片を設け、スイッチ接触子の中央部に発生する応力を取りの除くと同時に中央頂点部を高くすることにより、反転移動量を大きく確保し、操作フィーリングを改善した。【選択図】図１
2005044552.tif 000002
【特許請求の範囲】
【請求項１】
弾性を有した材料で、ほぼ山状に一体に形成され、中央頂点部を押すことにより反転移動するスイッチ接触子の中央頂点部付近に舌片を設けたことを特徴とするスイッチ接触子。
【請求項２】
薄肉材料でほぼ円錐形に形成されたスイッチ接触子の中央付近に孔を開けることにより外周を残した状態のリング状にし、この中央の孔部に於いて外周リング部よりほぼ中心に向けて伸びた舌片を設けた請求項１に記載のスイッチ接触子。
【請求項３】
薄肉材料でほぼ多錐形に形成されたスイッチ接触子の中央付近に孔を開けることにより外周を残した状態のリング状にし、この中央の孔部に於いて外周リング部より中心に向けて伸びた舌片を設けた請求項１に記載のスイッチ接触子。
【請求項４】
弾性に富んだ薄板金属で形成した請求項１〜３のいずれかひとつに記載のスイッチ接触子。
【請求項５】
スイッチ接触子の外周リング部に、アーチ状のふくらみを持たせた形状の請求項１〜４のいずれかひとつに記載のスイッチ接触子。
【請求項６】
スイッチ接触子の中央部に操作用の舌片と接点用の舌片を設けた請求項１〜５のいずれかひとつに記載のスイッチ接触子。
【請求項７】
リング部にリング部の外側の縁または内側の縁にほぼ平行にスリット孔を設けた請求項１〜６のいずれかひとつに記載のスイッチ接触子。
【請求項８】
リング部から中央部に向けて伸ばした舌片を渦巻き状にした請求項１〜のいずれかひとつに記載のスイッチ接触子。
【請求項９】
外部端子と接点部を有した端子を接点部が絶縁基板の上部から露出するように固定し、この絶縁基板の上部に露出した接点部に、請求項１〜８のいずれかひとつに記載のスイッチ接触子が当接するようにを配置し、さらに、このスイッチ接触子の中央の舌片に当接するようにプッシュボタンを組込んで構成されるプッシュスイッチ。
【発明の詳細な説明】
【０００１】
【発明の属する技術分野】
本発明は、例えばコンピュータあるいはオーディオ機器、ホームビデオ機器等各種電子機器に使用される節度感を持った操作用のプッシュスイッチ、およびそれに使用するスイッチ接触子に関するものである。
【０００２】
【従来の技術】
図１８〜図２２を用いて従来のスイッチ接触子とそれを使用したプッシュスイッチについて説明する。
図１８は従来のスイッチ接触子１０１の斜視図であり、図１９は従来のスイッチ接触子１０１の形状をわかりやすくするために一部破断した状態を示す図である。このスイッチ接触子１０１は、弾性に富んだ薄板金属でドーム状に形成されており一般にはダイヤフラムと呼ばれており、皿ばねの原理を応用したものであり、中央部を押すと、節度感を発生するものである。
【０００３】
図２０は、この従来のスイッチ接触子１０１を使用したプッシュスイッチの構成斜視図である。このプッシュスイッチの構成を図２０を用いて説明する。
図２０において、外部端子１１２Ａと端子接点部１１２Ｂを有した第１端子１１２と外部端子１１３Ａと端子接点部１１３Ｂを有した第２端子１１３が絶縁体で形成された絶縁ケース１１１に固定されており、第１端子１１２と第２端子１１３の接点部１１２Ｂ、１１３Ｂは前記絶縁ケース１１１内の上面に一部表面が露出するように固定され、外部端子１１２Ａ、１１３Ａは絶縁ケース１１１の外側に設けられている。
【０００４】
このように構成された絶縁ケース１１１の上面内側に前記従来のスイッチ接触子１０１を第１端子１１２と第２端子１１３の端子接点部１１２Ｂ、１１３Ｂに接するように配置し、更に、プッシュボタン１１６をスイッチ接触子１０１の上部に上下動可能に配置し、プッシュボタン１１６の下部に設けた押し部１１８でスイッチ接触子１０１の中央部を当接させた構成でる。
【０００５】
次に、従来のスイッチ接触子１０１、及びこのスイッチ接触子１０１を使用したプッシュスイッチの動作について説明する。
【０００６】
従来のスイッチ接触子１０１は皿ばねの原理を応用したドーム状のダイヤフラムと呼ばれるスイッチ接触子であり、中央の頂点付近を押すとこの部分が下方に反転移動すると同時に節度感を発生する。また、押す力を解除すると、スイッチ接触子１０１は、自力で復帰する。
【０００７】
このような、反転する機能と節度感を発生する機能を利用し、図２０に示す従来のプッシュスイッチを構成し、プッシュボタン１１６に設けた操作部１１７を押すと、従来のスイッチ接触子１０１が下方へ押され反転する。絶縁ケース１１１に固定した第１端子１１２と第２端子１１３がスイッチ接触子１１１を介して電気的に導通し、スイッチがＯＮの状態となる。また、操作部１１７を押す力を解除すると、スイッチ接触子１０１は反転復帰し導通を解除しスイッチはＯＦＦとなる。
【０００８】
【発明が解決しようとする課題】
ところで、前述した従来のスイッチ接触子１０１は、ドーム形ではあるが、きわめて偏平に形成されている。これは、スイッチ接触子１０１に力を加え反転動作をさせる際、スイッチ接触子内部に発生する応力がその材料の持つ許容応力を超えないようにしているためである。つまり、ドームの高さを低くし、反転移動量を小さくすることによって、スイッチ接触子１０１に発生する応力をできるだけ小さくしようとするものである。従って、反転移動量を大きくできず、プッシュスイッチに組み込んでも、プッシュスイッチの操作移動量Ｓが大きく確保できないという欠点があった。また操作フィーリングにおいても、自由に設定することができず、画一的な操作フィーリングであった。
【０００９】
尚、スイッチ接触子１０１の発生応力がその材料で許容されている応力を超えると、永久変形や割れ、また繰り返し動作等により金属疲労が発生し、破壊を生じ、節度感を失ったり、スイッチ機能を失ったりずるものであった。
【００１０】
本発明は、このような従来の課題を解決するものであり、構造を複雑にすることなくプッシュスイッチの操作移動量Ｓを大きく確保し、操作フィーリングの良い小形で低コストのスイッチを提供することを目的とする。
【００１１】
【課題を解決するための手段】
本発明は、前記のような課題解決するために、ドーム形のスイッチ接触子の中央頂点部をくり貫き、その場所に押圧用または接点用の舌片を設けることにより、反転移動量を大きく確保し、プッシュスイッチに組込んだ時に、操作移動量Ｓを大きくし、さらに操作フィーリングを良くしようとするものである。
【００１２】
【発明の実施の形態】
請求項１に記載の発明は、弾性を有した材料でほぼ山状に一体に形成され、中央頂点部を押すことにより反転移動するスイッチ接触子の中央頂点部付近に舌片を設けることにより、スイッチ接触子の全高さを高くし、反転移動量を大きくするという作用を有する。
【００１３】
請求項２に記載の発明は、請求項１に記載の発明において、薄肉材料でほぼ円錐形に形成されたスイッチ接触子の中央付近に孔を開けることにより外周を残した状態のリング状にし、この中央の孔部に於いて外周リング部よりほぼ中心に向けて伸びた舌片を設けることにより、スイッチ接触子の中央部の応力を取り除き、スイッチ接触子の全高さを高くし、反転移動量を大きくするという作用を有する。
【００１４】
請求項３に記載の発明は、請求項１または２に記載の発明において、薄肉材料でほぼ多錐形に形成されたスイッチ接触子の中央付近に孔を開けることにより外周を残した状態のリング状にし、この中央の孔部に於いて外周リング部より中心に向けて伸びた舌片を設けることにより、スイッチ接触子の中央部の応力を取り除き、スイッチ接触子の全高さを高くし、反転移動量を大きくするという作用を有する。
【００１５】
請求項４に記載の発明は、請求項１〜３のいずれかひとつに記載の発明において、弾性に富んだ薄板金属で形成することにより、材料の許容応力の限界値を高め、小形で反転移動量を大きくするという作用を有する。
【００１６】
請求項５に記載の発明は、請求項１〜４のいずれかひとつに記載の発明において、スイッチ接触子の外周のリング部に、アーチ状のふくらみを持たせた形状にすることにより、リング部の接線方向の伸縮が大きく確保でき、柔軟性が増すため、材料に発生する応力を緩和するという作用を有する。
【００１７】
請求項６に記載の発明は、請求項１〜５のいずれかひとつに記載の発明において、スイッチ接触子の中央部に操作用の舌片と接点用の舌片を設けることにより、スイッチの接触安定性と操作感触の改善が行えるという作用を有する。
【００１８】
請求項７に記載の発明は、請求項１〜６のいずれかひとつに記載の発明において、リング部にリング部の外側の縁または内側の縁にほぼ平行にスリット孔を設けることにより、リング部の接線方向の伸縮を大きくし、柔軟性を確保することにより、材料に発生する応力を緩和するという作用を有する。
【００１９】
請求項８に記載の発明は、請求項１〜７のいずれかひとつに記載の発明において、リング部から中央部に向けて伸ばした舌片を渦巻き状にすることにより、舌片の上下方向の柔軟性を増やすという作用を有する。
【００２０】
請求項９に記載の発明は、外部端子と接点部を有した端子を接点部が絶縁基板の上部から露出するように固定し、この絶縁基板の上部に露出した接点部に、請求項１〜８のいずれかひとつに記載のスイッチ接触子が当接するようにを配置し、さらに、このスイッチ接触子の中央の舌片に当接するようにプッシュボタンを組込んでプッシュスイッチを構成することにより、本発明のスイッチ接触子の特性を有効に利用し、操作移動量が大きく、また操作フィーリングの良いプッシュスイッチを形成できるという作用を有する。
【００２１】
次に、本発明の具体的な実施の形態について図１〜図１７を用いて説明する。
図２は本発明の第１の実施の形態のスイッチ接触子１を表す外観斜視図である。図２において、本発明の第１の実施の形態のスイッチ接触子１の形状について説明する。弾性に富んだ薄板金属を円錐形に形成し、中央部に孔を開け、リング状のリング部２を形成する。中央部の孔において、リング部２より内側上方に向け片持ち梁り状の舌片３、４、５、６を設けている。従って、スイッチ接触子１の中央部の舌片３、４、５、６の各々の先端部の高さは、従来のドーム形のスイッチ接触子１０１の全高さに比べ高く形成できている。
【００２２】
尚、この舌片は、図２では４個所に設けているが、１個所でも良いし、２個所以上の複数個でも良い。
図１は、このような形状の本発明の第１のスイッチ接触子１をプッシュスイッチに組込んだ状態を表す構成斜視図である。この図１においてプッシュスイッチの構成を説明する。
【００２３】
図１において、外部端子１２Ａ、１３Ａと端子接点部１２Ｂ、１３Ｂを有した第１端子１２と第２端子１３が絶縁体で形成された絶縁ケース１１に固定されており、第１端子１２と第２端子１３の端子接点部１２Ｂ、１３Ｂは前記絶縁ケース１１の内側の上面に一部が露出するように固定され、外部端子１２Ａ、１３Ａは絶縁ケース１１の外側に設けられている。このように構成された絶縁ケース１１の上面に前記スイッチ接触子１のリング部２の外周の縁を第１端子１２の端子接点部１２Ｂに接するように配置し、更にプッシュボタン１６をスイッチ接触子１の上部に上下動可能に配置し、プッシュボタン１６の下部に設けた押し部１８をスイッチ接触子１の中央頂点部に配置した舌片３、４、５、６に当接させた構成である。
【００２４】
次に、本発明の第１の実施の形態のスイッチ接触子１、及びプッシュスイッチの動作について説明する。
スイッチボタン１６を上方より押し下げるとプッシュスイッチに組込まれたスイッチ接触子１の中央部に配置された舌片３、４、５、６が下方に押圧されると反転移動を行い、前記第２端子１３の端子接点部１３Ｂに当接し、節度感を発生しながらスイッチはＯＮになる。この時スイッチ接触子１の舌片３、４、５、６の反転移動量は、スイッチ接触子１の高さが高いため大きくなり、スイッチボタン１６の操作移動量も大きくなる。また、押す力を解除すると、スイッチ接触子１は、自力で反転復帰し、スイッチはＯＦＦになる。
【００２５】
図３は本発明のスイッチ接触子１を組込んだプッシュスイッチの断面を表す図である。図４はスイッチ接触子１が反転移動しスイッチがＯＮになった状態を示す断面図である。図４のＳはプッシュボタン１６の操作移動量を表している。図５は本発明のプッシュスイッチの外観斜視図である。
【００２６】
尚、舌片３、４、５、６は、プッシュボタン１６から力を受ける操作用の舌片と端子接点１３Ｂに当接するための接点用の舌片を共有しているが、次に説明するように操作用の舌片と接点用の舌片を区別して設けてもよい。
【００２７】
図６に示すスイッチ接触子は、図２に示す本発明のスイッチ接触子１の舌片を少し変形させた状態を示す断面図であり、舌片５、６を上下方向に柔軟性を持たせた操作用の舌片とし、プッシュボタン１６から受ける力を、一旦、舌片５、６に溜めて、舌片５、６を撓ませた状態にしてから反転を行うことにより、反転がいっきに行われるいわゆる“飛び移り現象”を発生させるための形状である。
【００２８】
更に、接点用の舌片４を少し下に折り曲げ、更に上下方向に弾性を持たせることにより、スイッチ接触子１の反転移動時に発生する第２端子１３の端子接点部１３Ｂとのぶつかり音を緩和し、音を小さくすることができる。更にスイッチの接触の信頼性を向上させる作用を有する。
【００２９】
図７、図８は本発明の第１の実施の形態のスイッチ接触子１の他の実施例を表す図である。このスイッチ接触子１は二つの舌片４と６を有し、各々の舌片４，及び６の長さを長く確保できるようにした実施例である。このように舌片を長くすることにより、舌片先端部でのたわみ量を大きくすることができる。
【００３０】
図９は本発明の第１の実施の形態のスイッチ接触子１の別の実施例を表す図である。この図１２に示す接触子１は接触子１のリング部２の外周に折り曲げ部２Ａを設けたものである。この折り曲げ部２Ａは一般的なダイヤフラムにも設けられているもので、接触子が反転した際、反転状態から復帰するための力を確保するためのものである。つまり、反転しっぱなしを防ぐ効果や復帰力を確保するためのものである。
【００３１】
図１０は本発明の第２の実施の形態のスイッチ接触子２１を表す外観斜視図である。第２の実施の形態のスイッチ接触子２１は、弾性に富んだ薄板金属を四角錐形に形成し、中央部に孔を開け、四角形のリング状のリング部２２を形成している。このスイッチ接触子２１の中央部の孔において、リング部２２より内側上方に向け片持ち梁り状の舌片２３、２４、２５、２６を設けた形状を構成している。
【００３２】
動作については、図２に示す本発明の第１の実施の形態のスイッチ接触子１と類似しているため、動作の説明は省略する。
【００３３】
図１１は本発明の第３の実施の形態のスイッチ接触子３１を示す外観斜視図である。本発明の第３の実施の形態のスイッチ接触子３１は、図２に示す本発明の第１の実施の形態のスイッチ接触子１の外周のリング部を上方向に向けてアーチ状のふくらみ３２Ａ、３２Ｂ、３２Ｃ、３２Ｄを形成している。
【００３４】
次に本発明の第３の実施の形態のスイッチ接触子３１の動作について説明する。ここで、本発明のスイッチ接触子のリング部の中央部舌片を押すことによるリング部の力の加わり方について図２の本発明の第１の実施の形態のスイッチ接触子１において説明をしておく。
【００３５】
スイッチ接触子１の中央部の舌片３、４、５、６を上方より押した時、リング部２の外側部の材料には接線方向に引っ張りの力が加わり、リング部２の内側部の材料には圧縮の力が発生する。つまりこの引っ張りと圧縮の力に対し、リング部２の材料が応力を発生するため、舌片３、４、５、６を押す時に抗力が発生する。
【００３６】
従がって、本発明の第３の実施の形態に示すスイッチ接触子３１の形状のように、リング部にアーチ状のふくらみ３２Ａ、３２Ｂ、３２Ｃ、３２Ｄを形成することにより、接線方向の引っ張りと圧縮の力に対してリング部３２に形成したアーチ状のふくらみ３２Ａ、３２Ｂ、３２Ｃ、３２Ｄが伸縮に対して柔軟に対応することができるため、スイッチ接触子３１の上下の反転運動を円滑に行うことができる。
【００３７】
図１２は、本発明の第４の実施の形態のスイッチ接触子４１を表す外観斜視図である。本発明の第４の実施の形態のスイッチ接触子４１は、リング部４２にリング部４２の外周または内周に対してほぼ平行なスリット状の孔４２Ａ、４２Ｂ、４２Ｃ、４２Ｄを設けた形状にしている。
【００３８】
本発明の第４の実施の形態のスイッチ接触子４１は前記第３の実施の形態で説明したように、リング部４２の外側部には引っ張りの力が、リング部４２の内側部には圧縮の力が発生する。この引っ張りの力により弾性変形する場所と、圧縮の力で弾性変形する場所をスリット状の孔４２Ａ、４２Ｂ、４２Ｃ、４２Ｄにより分離し、無理なくリング部４２を伸縮させ、弾性変形を行うことにより、スイッチ接触子４２上下動の反転を無理なく円滑に行うようにしたものである。
【００３９】
図１３、図１４は本発明の第４の実施の形態の別の実施例を表すスイッチ接触子５１、６１を表した図である。
【００４０】
図１５は本発明の第５の実施の形態のスイッチ接触子７１を表す図である。本発明の第５の実施の形態のスイッチ接触子７１はリング部７２から中央に向けて渦巻き状に舌片７３、７４をのばした形状にしている。このような形状にすることにより、舌片の長さを長くでき、舌片の上下方向の柔軟性を増すことにより、スイッチ接触子７１の全高さを高くしている。したがって、スイッチ接触子７１の反転移動量を大きくすることができる。
【００４１】
図１６は本発明の第５の実施の形態の別の実施例のスイッチ接触子８１を表す図である。このスイッチ接触子８１の前記スイッチ接触子７１と同様の目的で発明されたもので、同様の動作を行うものである。
【００４２】
図１７は本発明の第６の実施の形態のスイッチ接触子９１を表す図である。
本発明の第６の実施の形態のスイッチ接触子９１はリング部９２の対向する辺から舌片９３、９４と舌片９５、９６をお互いが交差するように長く伸ばした形状にしている。このような舌片にすることにより、舌片を長くすることができ、このため、舌片に上下方向に柔軟性が確保でき、スイッチ接触子９１が高く構成できる。したがって、反転移動量を大きくすることができる。
【００４３】
以上に記載した本発明の実施の形態のスイッチ接触子の材料及び製作方法は、リン青銅やベリリウム銅、またはステンレス等の弾性に富んだ薄板の金属をプレス金型で打ち抜き、曲げや絞り加工等の加工方法により製作することができる。またＰＥＴ等の物理特性に優れた樹脂フィルムでも製作できる。成形加工においては、ポリアセタール等の材料で射出成形で加工することができる。またシリコンゴムでも形成することができる。このように本発明のスイッチ接触子は、材料、寸法、大きさ、また材料の厚さ形状を少しづつ変えることにより、様々な材料で形成することができる。
【００４４】
【発明の効果】
本発明のスイッチ接触子及び本発明のスイッチ接触子を使用したプッシュスイッチは、以下のような効果を有する。
本発明のスイッチ接触子は、従来のドーム型のスイッチ接触子に比べ一体型のスイッチ接触子でありながら、全高さを高く形成することができ、反転移動距離を大きく確保できるため、プッシュスイッチに構成したとき、プッシュボタンの操作移動量が大きく確保できる。
【００４５】
また、接点用の舌片や操作用の舌片に上下方向に弾性を持たせることができるため、ＯＮ、ＯＦＦ時の接点の衝突音を弾性を有した接点用舌片で緩衝することによる静音化や、操作用の舌片を押したときの反転移動時の飛び移り現象等、様々な効果が有り、このため、従来のドーム型のスイッチ接触子を使用したプッシュスイッチの画一的な操作フィーリングに比べて、前記のようにプッシュスイッチの操作ストロークが大きく確保できるほか、多様な操作フィーリングを提供できるという効果を有する。
【００４６】
またプッシュボタンを押し込んでスイッチを操作するときのスイッチがＯＮになるタイミングも前記接点用の舌片と、操作用の舌片の高さの差により、自由に設定することができる。
【００４７】
またスイッチ接触子がＯＮの状態での端子接点部との電気的接触において、接点用の舌片が上下方向に弾性を有しているため、外乱を受けても、安定して端子の接点部に接触を維持することができるためスイッチの接触抵抗値が安定しており、信頼性の高いプッシュスイッチを構成することができる。このように、本発明のスイッチ接触子を使用することにより、高性能でフィーリングの良いプッシュスイッチを提供することができる。
【図面の簡単な説明】
【図１】本発明の第１の実施の形態のスイッチ接触子を組み込んだプッシュスイッチの部品構成を表す斜視図。
【図２】本発明の第１の実施の形態のスイッチ接触子を表す外観斜視図。
【図３】本発明の第１の実施の形態のスイッチ接触子を組み込んだプッシュスイッチを表す断面図。
【図４】本発明の第１の実施の形態のスイッチ接触子を組み込んだプッシュスイッチのスイッチがＯＮの状態を表す断面図。
【図５】本発明のスイッチ接触子を組み込んだプッシュスイッチを表す外観斜視図。
【図６】本発明の第１の実施の形態のスイッチ接触子の舌片を変形させた状態を示す断面図。
【図７】本発明の第１の実施の形態のスイッチ接触子の別の実施例を表す平面図である。
【図８】同正面図である。
【図９】本発明の第１の実施の形態のスイッチ接触子の他の実施例を表す図で外周に折り曲げ部を設けたスイッチ接触子の正面図である。
【図１０】本発明の第２の実施の形態のスイッチ接触子を表す外観斜視図。
【図１１】本発明の第３の実施の形態のスイッチ接触子を表す外観斜視図。
【図１２】本発明の第４の実施の形態のスイッチ接触子を表す外観斜視図。
【図１３】本発明の第４の実施の形態のスイッチ接触子の他の実施例を表すを表す外観斜視図。
【図１４】本発明の第４の実施の形態のスイッチ接触子の他の実施例を表すを表す外観斜視図。
【図１５】本発明の第５の実施の形態のスイッチ接触子を表す平面図。
【図１６】本発明の第５の実施の形態のスイッチ接触子の他の実施例を表す平面図。
【図１７】本発明の第６の実施の形態のスイッチ接触子の他の実施例を表す平面図。
【図１８】従来のスイッチ接触子を表す外観斜視図。
【図１９】従来のスイッチ接触子の形状をわかりやすくするために、一部破断した状態を表す外観斜視図。
【図２０】従来のスイッチ接触子を組み込んだプッシュスイッチの部品構成を表す斜視図。
【図２１】従来のスイッチ接触子を組み込んだプッシュスイッチを表す断面図。
【図２２】従来の形態のスイッチ接触子を組み込んだプッシュスイッチのスイッチがＯＮの状態を表す断面図。
【符号の説明】
１、２１、３１、４１、５１、６１、７１、８１、９１，１０１  スイッチ接触子
２、２２、３２、４２、５２、６２、７２、８２、９２  リング部
３、４、５、６、２３、２４、２５、２６、３３、３４、３５、３６、４３、４４、４５、４６、５３，５４，５５，５６，６３，６４，６５，６６，７３，７４，８３，８４，９３，９４，９５，９６  舌片
２Ａ  折り曲げ部
１１、１１１  絶縁ケース
１２、１１２  第１端子
１２Ａ、１３Ａ、１１２Ａ、１１３Ａ  外部端子
１２Ｂ、１３Ｂ、１１２Ｂ、１１３Ｂ  端子接点部
１３、１１３  第２端子
１６、１１６  プッシュボタン
１７、１１７  操作部
１８、１１８  押し部
１９、１１９  カバー
３２Ａ、３２Ｂ、３２Ｃ、３２Ｄ  アーチ状のふくらみ
４２Ａ、４２Ｂ、４２Ｃ、４３Ｄ、５２Ａ、５２Ｂ、５２Ｃ、５２Ｄ、６２Ａ、６２Ｂ、６２Ｃ、６２Ｄ  スリット状の孔
【図１】
2005044552.tif 000003
【図２】
2005044552.tif 000004
【図３】
2005044552.tif 000005
【図４】
2005044552.tif 000006
【図５】
2005044552.tif 000007
【図６】
2005044552.tif 000008
【図７】
2005044552.tif 000009
【図８】
2005044552.tif 000010
【図９】
2005044552.tif 000011
【図１０】
2005044552.tif 000012
【図１１】
2005044552.tif 000013
【図１２】
2005044552.tif 000014
【図１３】
2005044552.tif 000015
【図１４】
2005044552.tif 000016
【図１５】
2005044552.tif 000017
【図１６】
2005044552.tif 000018
【図１７】
2005044552.tif 000019
【図１８】
2005044552.tif 000020
【図１９】
2005044552.tif 000021
【図２０】
2005044552.tif 000022
【図２１】
2005044552.tif 000023
【図２２】
2005044552.tif 000024